(57)【要約】【課題】光の照射と電圧の印加に応じて光を透過および反射して画像の表示を行う表示層を複数備えた表示媒体において、複数の表示層へ同時に画像の追記を行えるようにする。【解決手段】導電層２０２Ａ，２０２Ｂへパルス信号が印加されている状態で感光層２０５Ｒに光が照射されると、コレステリック液晶を有する表示層２０４Ｂ，２０４Ｇにおいては、光が照射された部分に対応する領域で液晶の配向状態が変化する。表示層２０４Ｂ，２０４Ｇの配向状態を別々に制御する場合、導電層２０２Ａ，２０２Ｂへ周波数が１００Ｈｚのパルス信号が印加され、配向状態を変化させる部分に光が照射される。一方、表示層２０４Ｂ，２０４Ｇの配向状態を同時に制御する場合、導電層２０２Ａ，２０２Ｂへ周波数が５Ｈｚのパルス信号が印加され、配向状態を変化させる部分に光が照射される。【選択図】図２
2010230934.tif 000002
【特許請求の範囲】
【請求項１】
電圧が印加された部分が該電圧に応じて外光中の第１波長帯の光を反射する反射状態または外光中の前記第１波長帯の光を透過する透過状態に変化する第１表示層と、
前記第１表示層に積層され、電圧が印加された部分が該電圧に応じて外光中の前記第１波長帯とは異なる第２波長帯の光を反射する反射状態と外光中の前記第２波長帯の光を透過する透過状態に変化する第２表示層と、
積層された前記第１表示層と前記第２表示層を挟んで位置し、電圧を印加する信号が外部から供給される第１導電層および第２導電層と、
前記第１導電層と前記第２導電層の間に位置し、光が照射されると前記第１表示層と前記第２表示層に印加される電圧を増加させる感光層と、
を有し、
前記状態を変化させる電圧の閾値は、前記第１表示層と前記第２表示層とで異なり、
前記第１導電層と前記第２導電層に印加されて前記第１表示層と前記第２表示層に分圧される電圧が、前記第１導電層と前記第２導電層に電圧を印加する信号の周波数によって変化し、
前記状態を変化させる電圧の閾値が、前記第１導電層と前記第２導電層に電圧を印加する信号の周波数に応じて変化する表示媒体。
【請求項２】
前記第１表示層と前記第２表示層の状態を同時に変化させる場合に前記第１導電層と前記第２導電層とに印加される信号の周波数は、前記第１表示層と前記第２表示層の状態を別々に変化させる場合に印加される信号の周波数より低いこと
を特徴とする請求項１に記載の表示媒体。
【請求項３】
前記第１表示層における前記閾値と前記第２表示層における前記閾値の差は、
前記第１表示層と前記第２表示層の状態を同時に変化させる場合には、光を照射された前記感光層が前記第１表示層と前記第２表示層に印加される電圧を増加させる時の電圧の増加分より小さく、
前記第１表示層と前記第２表示層の状態を別々に変化させる場合には、光を照射された前記感光層が前記第１表示層と前記第２表示層に印加される電圧を増加させる時の電圧の増加分より大きいこと
を特徴とする請求項２に記載の表示媒体。
【請求項４】
電圧が印加された部分が該電圧に応じて外光中の前記第１波長帯および前記第２波長帯とは異なる第３波長帯の光を反射する反射状態と外光中の前記第３波長帯の光を透過する透過状態に変化する第３表示層と、
前記第３表示層を挟んで位置し、前記第３表示層の状態を変化させる電圧を印加する信号が外部から供給される第３導電層および第４導電層と、
前記第３表示層を挟む前記第３導電層と前記第４導電層の間に位置し、光が照射されると前記第３表示層に印加される電圧を増加させる感光層と
を有する請求項１乃至請求項３のいずれかに記載の表示媒体。
【請求項５】
請求項１乃至請求項４のいずれかに記載の表示媒体と、
前記第１表示層と前記第２表示層へ電圧を印加する信号を前記第１導電層および前記第２導電層へ供給し、該信号の周波数が、前記第１表示層と前記第２表示層の状態を同時に変化させる場合と、前記第１表示層と前記第２表示層の状態を別々に変化させる場合とで異なる電圧印加手段と、
前記表示媒体へ光を照射する光出力手段と
を有する書込装置
を有する表示システム。
【発明の詳細な説明】
【技術分野】
【０００１】
本発明は、表示媒体および表示システムに関する。
【背景技術】
【０００２】
特許文献１には、コレステリック液晶を有する表示層と、光に反応して電荷を発生する感光層、および表示層と感光層を挟んだ電極を有する光書込型の表示媒体が開示されている。この表示媒体においては、電極に電圧を印加し、表示媒体に光を照射すると、光が照射された位置にある液晶の配向状態が変化し、外光を反射して画像が表示される。
【先行技術文献】
【特許文献】
【０００３】
【特許文献１】特開平１１−２３７６４４号公報
【発明の概要】
【発明が解決しようとする課題】
【０００４】
本発明は、光の照射と電圧の印加に応じて光を透過および反射して画像の表示を行う表示層を複数備えた表示媒体において、複数の表示層へ同時に画像の追記を行えるようにすることを目的とする。
【課題を解決するための手段】
【０００５】
本発明の請求項１に係る表示媒体は、電圧が印加された部分が該電圧に応じて外光中の第１波長帯の光を反射する反射状態または外光中の前記第１波長帯の光を透過する透過状態に変化する第１表示層と、前記第１表示層に積層され、電圧が印加された部分が該電圧に応じて外光中の前記第１波長帯とは異なる第２波長帯の光を反射する反射状態と外光中の前記第２波長帯の光を透過する透過状態に変化する第２表示層と、積層された前記第１表示層と前記第２表示層を挟んで位置し、電圧を印加する信号が外部から供給される第１導電層および第２導電層と、前記第１導電層と前記第２導電層の間に位置し、光が照射されると前記第１表示層と前記第２表示層に印加される電圧を増加させる感光層と、を有し、前記状態を変化させる電圧の閾値は、前記第１表示層と前記第２表示層とで異なり、前記第１導電層と前記第２導電層に印加されて前記第１表示層と前記第２表示層に分圧される電圧が、前記第１導電層と前記第２導電層に電圧を印加する信号の周波数によって変化し、前記状態を変化させる電圧の閾値が、前記第１導電層と前記第２導電層に電圧を印加する信号の周波数に応じて変化する。
【０００６】
本発明の請求項２に係る表示媒体は、請求項１に記載の構成において、前記第１表示層と前記第２表示層の状態を同時に変化させる場合に前記第１導電層と前記第２導電層とに印加される信号の周波数は、前記第１表示層と前記第２表示層の状態を別々に変化させる場合に印加される信号の周波数より低いものとなる。
【０００７】
本発明の請求項３に係る表示媒体は、請求項２に記載の構成において、前記第１表示層における前記閾値と前記第２表示層における前記閾値の差は、前記第１表示層と前記第２表示層の状態を同時に変化させる場合には、光を照射された前記感光層が前記第１表示層と前記第２表示層に印加される電圧を増加させる時の電圧の増加分より小さく、前記第１表示層と前記第２表示層の状態を別々に変化させる場合には、光を照射された前記感光層が前記第１表示層と前記第２表示層に印加される電圧を増加させる時の電圧の増加分より大きいものとなる。
【０００８】
本発明の請求項４に係る表示媒体は、請求項１乃至請求項３のいずれかに記載の構成において、電圧が印加された部分が該電圧に応じて外光中の前記第１波長帯および前記第２波長帯とは異なる第３波長帯の光を反射する反射状態と外光中の前記第３波長帯の光を透過する透過状態に変化する第３表示層と、前記第３表示層を挟んで位置し、前記第３表示層の状態を変化させる電圧を印加する信号が外部から供給される第３導電層および第４導電層と、前記第３表示層を挟む前記第３導電層と前記第４導電層の間に位置し、光が照射されると前記第３表示層に印加される電圧を増加させる感光層とを有する。
【０００９】
本発明の請求項５に係る表示システムは、請求項１乃至請求項４のいずれかに記載の表示媒体と、前記第１表示層と前記第２表示層へ電圧を印加する信号を前記第１導電層および前記第２導電層へ供給し、該信号の周波数が、前記第１表示層と前記第２表示層の状態を同時に変化させる場合と、前記第１表示層と前記第２表示層の状態を別々に変化させる場合とで異なる電圧印加手段と、前記表示媒体へ光を照射する光出力手段とを有する書込装置を有する。
【発明の効果】
【００１０】
本発明の請求項１に記載の発明によれば、光の照射と電圧の印加に応じて光を透過および反射して画像の表示を行う表示層を複数備えた表示媒体において、複数の表示層へ同時に画像の追記を行える。
本発明の請求項２に記載の発明によれば、複数の表示層へ同時に画像の追記を行う際に消費電力が小さくなる。
本発明の請求項３に記載の発明によれば、複数の表示層へ同時に画像の追記を行う際に消費電力が小さくなる。
本発明の請求項４に記載の発明によれば、多色の画像の表示を行うことができる。
本発明の請求項５に記載の発明によれば、光の照射と電圧の印加に応じて光を透過および反射して画像の表示を行う表示層を複数備えた表示媒体において、複数の表示層へ同時に画像の追記を行える。
【図面の簡単な説明】
【００１１】
【図１】本発明の一実施形態に係る装置の外観を示した図である。
【図２】表示媒体２１の断面の模式図である。
【図３】表示層に印加される電圧と表示層の反射率の関係を示した図である。
【図４】導電層に印加される信号の波形を示した図である。
【図５】表示層に印加される電圧と表示層の反射率の関係を示した図である。
【図６】表示層に印加される電圧と表示層の反射率の関係を示した図である。
【図７】表示層に印加される電圧と表示層の反射率の関係を示した図である。
【図８】表示層２０４Ｂと表示層２０４Ｇの等価回路を示した図である。
【図９】表示層のインピーダンス比と分圧比との関係を示した図である。
【図１０】表示層のインピーダンス比と分圧比との関係を示した図である。
【図１１】表示層のインピーダンス比と分圧比との関係を示した図である。
【図１２】書込装置１の内部の模式図である。
【図１３】書込装置１のハードウェア構成を示したブロック図である。
【図１４】表示デバイス１０６Ａに表示される画面を例示した図である。
【図１５】表示デバイス１０６Ａに表示される画面を例示した図である。
【図１６】実施形態の動作を説明するための図である。
【図１７】本発明の変形例に係る表示媒体２１の断面の模式図である。
【発明を実施するための形態】
【００１２】
［実施形態］
図１は、本発明の一実施形態に係る書込装置１、表示装置２及び筆記具３の外観の模式図である。
【００１３】
表示装置２は、照明器具の光や太陽光などの外光を反射して画像の表示を行う反射型の表示装置である。表示装置２は、矩形で板状の形状をしており、コレステリック液晶を有する表示層と、光に反応して電荷を発生する感光層、および表示層と感光層を挟んだ導電層が積層された表示媒体２１を備えている。
表示装置２は、導電層に電圧が印加されている状態で書込装置１から光が照射されると、光が照射された位置にあるコレステリック液晶の配向状態が変化し、表示層が外光を透過する部分と外光を反射する部分とに分かれ、カラーの画像が表示される。
【００１４】
筆記具３は、所謂スタイラスペンであり、表示媒体２１において表示を変化させる部分を指定する際に使用される操作子である。筆記具３の先端部分は、表示媒体２１の表面に接触させられるため、表示媒体２１を傷付けないように先端部分が曲面となっている。
【００１５】
書込装置１は、表示装置２に画像を書き込んで表示させる装置である。書込装置１は、表示装置２の導電層へ電気的に接続される端子と、表示媒体２１に光を照射する装置を備えており、端子を介して表示媒体２１の導電層に電圧を印加しつつ表示装置２に対して光を照射し、表示装置２に画像を表示させる。
【００１６】
（表示装置２の構成）
図２は、表示装置２の表示媒体２１の断面を模式的に示した図である。表示媒体２１は、基板層、導電層、表示層、着色層、感光層及びラミネート層を積層した構成となっており、各層の形状は矩形となっている。また、表示媒体２１の表面にはタッチパネル２００が配置されている。なお、図２においては、タッチパネル２００が配置されている側が、使用者が画像を視認する側（表示面側）となっており、基板層２０１Ｃが配置されている側が、書込装置１から出力された光が照射される側（被照射側）となっている。
【００１７】
透明なタッチパネル２００は、表面に物体が触れると触れた位置を示す位置信号を出力する位置入力装置であり、位置信号を出力する端子２００Ａが接続されている。タッチパネル２００の表面に筆記具３の先端が触れると、筆記具３が触れた位置を示す位置信号が端子２００Ａから出力される。
【００１８】
基板層２０１Ａ，２０１Ｂ，２０１Ｃは、画像を表示する部分の保護や形状の保持を行う層である。基板層２０１Ａは、タッチパネル２００の被照射側に接しており、基板層２０１Ｃは、被照射側で表示装置２の表面に露出している。また、基板層２０１Ｂは、導電層２０２Ｂと導電層２０２Ｃとの間で両者を絶縁する役割を果たしている。なお、本実施形態においては各基板層は光を透過するポリエチレンテレフタレートで形成されているが、各基板層の素材は、ポリエチレンテレフタレートに限定されるものではなく、透明性及び絶縁性を有するのであれば他の素材であってもよい。
【００１９】
導電層２０２Ａ，２０２Ｂ，２０２Ｃ，２０２Ｄは、本実施形態においては酸化インジウムスズで形成されており、透明で光を透過し、且つ導電性を有する層である。なお、各導電層は、透明で光を透過して導電性を有するのであれば、その素材は酸化インジウムスズに限定されず、他の素材であってもよい。
導電層２０２Ａは、基板層２０１Ａの被照射側に接しており、導電層２０２Ｂは基板層２０１Ｂの表示面側に接している。また、導電層２０２Ｃは、基板層２０１Ｂの被照射側に接しており、導電層２０２Ｄは基板層２０１Ｃの表示面側に接している。そして、導電層２０２Ａには端子２０３Ａが接続され、導電層２０２Ｂには端子２０３Ｂが接続されており、導電層２０２Ｃには端子２０３Ｃが接続され、導電層２０２Ｄには端子２０３Ｄが接続されている。端子２０３Ａ〜２０３Ｄは、電圧が印加される端子であり、表示装置２の外部へ露出するように配置されている。
【００２０】
導電層２０２Ａの被照射側に接している表示層２０４Ｂ、表示層２０４Ｂの被照射側に接している表示層２０４Ｇ、および導電層２０２Ｃの被照射側に接している表示層２０４Ｒは、コレステリック液晶と、光を透過する樹脂など複数の材料からなる層であり、樹脂の中にコレステリック液晶が分散した構成となっている。
コレステリック液晶は、液晶分子がらせん状に捩れて配向しており、電場によって配向が変化し、入射する光のうち特定の波長の光を反射する状態又は光を透過する状態に変化する。なお、本実施形態においては、表示層２０４Ｂのコレステリック液晶は青の光（波長が４００ｎｍ〜５００ｎｍの範囲内の光）を反射し、表示層２０４Ｇのコレステリック液晶は緑の光（波長が５００ｎｍ〜６００ｎｍの範囲内の光）を反射し、表示層２０４Ｒのコレステリック液晶は赤の光（波長が６００ｎｍ〜７００ｎｍの範囲内の光）を反射するように調整されているが、各表示層が反射する光は上述のものに限定されるものではない。表示層毎に各々異なる予め定められた波長帯の光を反射するように、コレステリック液晶の材料を選択してもよい。
また、各表示層に用いられている樹脂は、コレステリック液晶を保持し、液晶の流動（画像の変化）を抑制する機能を有するものであり、液晶材料に溶解せず、また液晶と相溶しない液体を溶剤とする高分子材料が用いられている。また、各表示層に用いられている樹脂は、外力に耐える強度をもち、光に対して透過性を示す。
【００２１】
導電層２０２Ｂの表示面側に接している感光層２０５Ｒと、導電層２０２Ｄの表示面側に接している感光層２０５ＢＧは、光電効果が生じる層であり、本実施形態においては、電荷発生層２０５１，２０５３と電荷輸送層２０５２を有し、電荷発生層２０５１、電荷輸送層２０５２、電荷発生層２０５３の順で積層された構造となっている。
感光層は、光が照射されると、光が照射された部分の抵抗値が低下する。表示層と感光層を挟む導電層に印加される電圧は、表示層と感光層とに分圧されるが、感光層の抵抗値が低下すると、分圧比が変化して表示層に掛かる電圧が増加する。
【００２２】
電荷発生層２０５１と電荷発生層２０５３は、光を吸収して光キャリアを発生する層である。電荷発生層２０５１は、表示面側の導電層から被照射側の導電層の方向に流れる光キャリアの量を左右し、電荷発生層２０５３は、被照射側の導電層から表示面側の導電層の方向に流れる光キャリアの量を左右している。
電荷輸送層２０５２は、各電荷発生層で発生した光キャリアが注入され、導電層に印加される電圧により生じる電場の方向にドリフトする機能を有する層である。
本実施形態においては、感光層２０５Ｒの電荷発生層は、赤色の電荷発生物質（一例としてジブロモアントアントロン）を有しており、青〜緑色の光を吸収する。また、感光層２０５ＢＧの電荷発生層は、青色と緑色の電荷発生物質（一例としてチタニルフタロシアニン）を有しており、赤色の光を吸収する。
【００２３】
感光層２０５Ｒの表示面側に接して位置する着色層２０６Ｒは、感光層２０５Ｒの電荷発生層が吸収する光の波長と同じ波長の光を吸収する層であり、無機顔料、または有機染料や有機顔料により、表示層２０４Ｂ，２０４Ｇが反射する光の補色に着色されている。
また、感光層２０５ＢＧの表示面側に接して位置する着色層２０６ＢＧは、感光層２０５ＢＧの電荷発生層が吸収する光の波長と同じ波長の光を吸収する層であり、無機顔料、または有機染料や有機顔料により、表示層２０４Ｒが反射する光の補色に着色されている。
【００２４】
着色層２０６Ｒと表示層２０４Ｇの間と、着色層２０６ＢＧと表示層２０４Ｒの間にあるラミネート層２０７は、表示層を着色層に貼りあわせる際に、凹凸の吸収および接着の役割を果たす目的で設けられる層である。ラミネート層２０７は、ガラス転移点の低い高分子材料からなるものであり、熱や圧力によって表示層と感光層とを密着・接着させることができる材料が選択される。また、少なくとも入射する光に対して透過性を有する。
ラミネート層２０７に用いられる材料としては、粘着性の高分子材料（例えばウレタン樹脂、エポキシ樹脂、アクリル樹脂、シリコーン樹脂）を挙げることができる。
【００２５】
これらの各層が積層された表示媒体２１において、表示層にあるコレステリック液晶は、電圧が印加される前の初期状態がプレーナ相である場合には、印加される電圧の増加に伴ってプレーナ相、フォーカルコニック相、ホメオトロピック相の順番に変化し、初期状態がフォーカルコニック相である場合には、印加される電圧の増加に伴ってフォーカルコニック相、ホメオトロピック相の順番に変化する。
そして、フォーカルコニック相の状態で電圧が除去されると、コレステリック液晶はフォーカルコニック相の状態を保持し、ホメオトロピック相の状態で電圧が除去されると、コレステリック液晶はホメオトロピック相からプレーナ相に変化し、プレーナ相の状態を保持する。
【００２６】
図３（ａ）と図３（ｂ）は、導電層と感光層を介して印加される電圧と表示層における光の反射率との関係を示した図であり、図３（ａ）の曲線Ｒは、印加される電圧と表示層２０４Ｒにおける光の反射率との関係を示したものであり、図３（ｂ）の曲線Ｇは、印加される電圧と表示層２０４Ｇにおける光の反射率との関係を示したものであり、図３（ｂ）の曲線Ｂは、印加される電圧と表示層２０４Ｂにおける光の反射率との関係を示したものである。
【００２７】
表示層２０４Ｂにおいてプレーナ相またはフォーカルコニック相からフォーカルコニック相へ変化する時の電圧の閾値をＶｂ１、フォーカルコニック相からホメオトロピック相へ変化する時の電圧の閾値をＶｂ２とすると、電圧除去前に導電層と感光層とを介して印加されている電圧がＶｂ２以上の場合、電圧除去後にコレステリック液晶はプレーナ相となって外光中の青の光を反射する。
一方、電圧除去前に導電層と感光層とを介して印加されている電圧がＶｂ１とＶｂ２の間の電圧である場合には、電圧除去後にコレステリック液晶はフォーカルコニック相となって外光が透過する。
【００２８】
また、表示層２０４Ｇにおいてプレーナ相またはフォーカルコニック相からフォーカルコニック相へ変化する時の電圧の閾値をＶｇ１、フォーカルコニック相からホメオトロピック相へ変化する時の電圧の閾値をＶｇ２とすると、電圧除去前に導電層と感光層とを介して印加されている電圧がＶｇ２以上の場合、電圧除去後にコレステリック液晶はプレーナ相となって外光中の青緑の光を反射する。
一方、電圧除去前に導電層と感光層とを介して印加されている電圧がＶｇ１とＶｇ２の間の電圧である場合には、電圧除去後にコレステリック液晶はフォーカルコニック相となって外光が透過する。
【００２９】
また、表示層２０４Ｒにおいてプレーナ相またはフォーカルコニック相からフォーカルコニック相へ変化する時の電圧の閾値をＶｒ１、フォーカルコニック相からホメオトロピック相へ変化する時の電圧の閾値をＶｒ２とすると、電圧除去前に導電層と感光層とを介して印加されている電圧がＶｒ２以上の場合、電圧除去後にコレステリック液晶はプレーナ相となって外光中の赤色の光を反射する。
一方、電圧除去前に導電層と感光層とを介して印加されている電圧がＶｒ１とＶｒ２の間の電圧である場合には、電圧除去後にコレステリック液晶はフォーカルコニック相となって外光が透過する。
【００３０】
このように、各表示層のコレステリック液晶は、印加される電圧がプレーナ相（またはフォーカルコニック相）からフォーカルコニック相へ変化する時の電圧の閾値（第１閾値（Ｖｒ１，Ｖｇ１，Ｖｂ１）：表示層の反射率が１０％となる時の電圧）を超えると、フォーカルコニック相に変化し、印加される電圧の電圧値がフォーカルコニック相からホメオトロピック相へ変化する時の電圧の閾値（第２閾値（Ｖｒ１，Ｖｇ１，Ｖｂ１）：表示層の反射率が９０％となる時の電圧）を超えると、ホメオトロピック相に変化する。
【００３１】
なお、表示層には図４に示したパルス状の信号（以下、パルス信号と称する）が導電層に供給されることにより電圧が印加されるが、表示層２０４Ｂと表示層２０４Ｇは、導電層２０２Ａと導電層２０２Ｂとから印加されるパルス信号の周波数が変化すると、印加されるパルス信号の周波数に応じて第１閾値と第２閾値が変化するように、表示層を構成する材料や各材料の量が選択され、表示層の電気的な抵抗成分や電気的な容量成分が調整されている。
【００３２】
図５（ａ）は、図２の構成から表示層２０４Ｂと表示層２０４Ｇを取り出し、一対の導電層の間に表示層２０４Ｂを挟んだものと、一対の導電層の間に表示層２０４Ｇを挟んだものとを直列接続し、周波数が１００Ｈｚのパルス信号を印加した時の表示層２０４Ｂ，２０４Ｇの反射率と、全体に印加した電圧との関係の測定結果を示した図である。
また、図５（ｂ）は、図２の構成から表示層２０４Ｂと表示層２０４Ｇを取り出し、一対の導電層の間に表示層２０４Ｂを挟んだものと、一対の導電層の間に表示層２０４Ｇを挟んだものとを直列接続し、周波数が５Ｈｚのパルス信号を印加した時の表示層２０４Ｂ，２０４Ｇの反射率と、全体に印加した電圧との関係の測定結果を示した図である。
図５（ａ）と図５（ｂ）においては、反射率については正規化がされている。
この構成で電圧が印加されると各表示層へ分圧される電圧は、図２の構成の時と同じとなる。なお、このように表示層を取り出して反射率を測定するのは、図２の構成では、各表示層の反射率の変化を分離して測定できないためである。
図５（ａ）と図５（ｂ）を比較すると、表示層２０４Ｂと表示層２０４Ｇの第１閾値の差が、パルス信号の周波数が１００Ｈｚから５Ｈｚに変化すると、小さくなり、５Ｈｚから１００Ｈｚに変化すると、大きくなっていることが分かる。
【００３３】
このことから、導電層２０２Ａ，２０２Ｂに印加するパルス信号の周波数を高くすれば、図２の構成においても表示層２０４Ｂと表示層２０４Ｇとで同じ位置について配向状態を異ならせることができ、パルス信号の周波数を低くすれば、図２の構成においても表示層２０４Ｂと表示層２０４Ｇとで同じ位置について同時に配向状態を変化させることができる。
具体的には、図２の構成においてパルス信号の周波数を１００Ｈｚとした場合、感光層に光を照射しない状態でパルス信号により導電層２０２Ａ，２０２Ｂから印加される電圧を図６に示したＶ１１とする。すると、表示層２０４Ｂは、配向状態がホメオトロピック相となり、表示層２０４Ｇは、配向状態がフォーカルコニック相となる。
そして、表示層２０４Ｇにおいて緑の光を反射させたい部分に被照射側から青の光が照射されると、感光層２０５Ｒの抵抗が低下し、光が照射された部分については、印加される電圧が電圧Ｖ１２（Ｖｇ２＜Ｖ１２）に増加する。そして、パルス信号の印加を停止すると、表示層２０４Ｇの配向状態は、光が照射されていない部分はフォーカルコニック相となり、光が照射された部分はプレーナ相となる。なお、表示層２０４Ｂについては、パルス信号の印加を停止する前の配向状態がホメオトロピック相であるため、パルス信号の印加を停止すると全体がプレーナ相となる。
【００３４】
次に、感光層に光を照射しない状態で、パルス信号により導電層２０２Ａ，２０２Ｂから印加される電圧を図６に示したＶ２１とする。すると、表示層２０４Ｇは、上記の配向状態を保ち、表示層２０４Ｂはプレーナ相のままである。
ここで、表示層２０４Ｂにおいて青の光を透過させたい部分について被照射側から青の光が照射されると、感光層２０５Ｒの抵抗が低下し、光が照射された部分については、印加される電圧が電圧Ｖ２２（Ｖｂ１＜Ｖ２２＜Ｖｇ１）に増加する。すると、表示層２０４Ｂの配向状態は、光が照射されていない部分はプレーナ相となり、光が照射された部分はフォーカルコニック相となる。
【００３５】
この後、図２の構成においてパルス信号の周波数を５Ｈｚとし、感光層に光を照射しない状態で、パルス信号により導電層２０２Ａ，２０２Ｂから印加される電圧をＶ３１とした場合、表示層２０４Ｂ，２０４Ｇは、上記の配向状態を保つ。なお、ここで導電層から印加される電圧と表示層２０４Ｂ，２０４Ｇの反射率との関係は図７に示したようになる。
ここで、表示層２０４Ｂ，２０４Ｇにおいて光を透過させたい部分へ青の光を被照射側から照射すると、感光層２０５Ｒの抵抗が低下し、光が照射された部分については、印加される電圧が電圧Ｖ３２（Ｖｇ１＜Ｖ３２）に増加し、表示層２０４Ｂと表示層２０４Ｂの両方で配向状態が同時にフォーカルコニック相となる。すると、光が照射されていない部分はプレーナ相となり、光が照射された部分はフォーカルコニック相となる。
【００３６】
なお、図８は、表示層２０４Ｂと表示層２０４Ｂの等価回路の図である。同図において、Ｃ1は表示層２０４Ｂの静電容量を示しており、Ｃ2は表示層２０４Ｇの静電容量を示している。また、同図において、Ｒ1は表示層２０４Ｂの抵抗を示しており、Ｒ2は表示層２０４Ｇの抵抗を示している。
この等価回路に交流のパルス信号を印加した場合、表示層２０４Ｂに分圧される電圧の実効電圧Ｖｒｍｓは、以下の式で表される。
【数１】
2010230934.tif 000003
【００３７】
ここで、数１の式に関わる各項は以下の式で表される。なお、以下の式において、ｆはパルス信号の周波数、Ｖ0は印加される電圧である。
【数２】
2010230934.tif 000004
【数３】
2010230934.tif 000005
【数４】
2010230934.tif 000006
【数５】
2010230934.tif 000007
【数６】
2010230934.tif 000008
【数７】
2010230934.tif 000009
【００３８】
そして、この式を基に表示層２０４Ｂと表示層２０４Ｇのインピーダンス比と、表示層２０４Ｂと表示層２０４Ｇの分圧比をシミュレーションすると、図９に示した結果を得ることができる。
図９は、このシミュレーションの結果の一例であり、図９においてＸ軸は、２つの表示層の抵抗比を示しており、Ｙ軸は、２つの表示層の容量比を示し、Ｚ軸は、２つの表示層への分圧比を表している。また、図９において、点線はインピーダンスマッチング軸（印加電圧の波形が歪まないポイント）を示している。また、図９に示した面Ｐは、パルス信号が印加された時の分圧比を示しており、上記ｆτ（時定数に対する比で無次元化した周波数）によって図１０（ａ）〜図１０（ｅ）に示したように回転する。
【００３９】
ここで、導電層へ供給するパルス信号の周波数を決定する場合、図１１に示したように、表示層のＣ1とＣ2の比、および表示層のＲ1とＲ2の比に対応する位置から垂線を引く。
そして、表示層２０４Ｂと表示層２０４Ｇの両方の配向状態を同時に変化させる周波数を決定する際には、単体の表示層２０４Ｂの反射率を１０％とする電圧Ｖｐｆ２と、単体の表示層２０４Ｇの反射率を１０％とする電圧Ｖｐｆ１との比（Ｖｐｆ２／Ｖｐｆ１）と、表示層２０４Ｂに分圧される電圧Ｖ２と表示層２０４Ｇに分圧される電圧Ｖ１との比（Ｖ２／Ｖ１）との関係が、Ｖ２／Ｖ１≒Ｖｐｆ２／Ｖｐｆ１の関係を満たす分圧比（図１１（ａ）において点線で示された分圧比）を求める。そして、求めた分圧比と垂線との交点を通る面Ｐの周波数を求め、この面Ｐの周波数をパルス信号の周波数とする。
また、表示層２０４Ｂと表示層２０４Ｇの配向状態を別々に変化させる時のパルス信号の周波数を決定する際には、Ｖ２／Ｖ１＞Ｖｐｆ２／Ｖｐｆ１の関係を満たす分圧比（図１１（ｂ）において点線で示された分圧比）を求める。そして、求めた分圧比と垂線との交点を通る面Ｐの周波数を求め、この面Ｐの周波数をパルス信号の周波数とする。
【００４０】
（書込装置１の構成）
図１２は、書込装置１の内部の模式図、図１３は、書込装置１のハードウェア構成を示したブロック図である。
制御部１０１は、ＣＰＵ、ＲＯＭ、ＲＡＭ、入力ポートおよび出力ポートなどを備えた、所謂マイクロコンピュータを有している。ＲＯＭには、各部を制御するための制御プログラムが記憶されており、ＣＰＵにより制御プログラムが実行されると、書込装置１の各部が制御される。また、制御プログラムが実行されると、筆記具３の位置に応じて表示媒体２１を制御し、表示装置２に画像を表示させる機能が実現する。
【００４１】
電圧印加部１０３は、端子２０３Ａと接続される端子と、端子２０３Ｂに接続される端子を備えており、これらの端子を用いて導電層２０２Ａ及び導電層２０２Ｂへパルス信号を印加する回路を備えている。また、電圧印加部１０３は、端子２０３Ｃに接続される端子と、端子２０３Ｄに接続される端子を備えており、これらの端子を用いて導電層２０２Ｃ及び導電層２０２Ｄへパルス信号を印加する。なお、電圧印加部１０３は、パルス信号の周波数を変更することが可能となっている。
【００４２】
インターフェース部１０５は、端子２００Ａに接続されてタッチパネル２００からの信号を受け取る端子を備えており、タッチパネル２００から出力された信号を制御部１０１へ供給する。また、インターフェース部１０５は、記憶媒体としてフラッシュメモリを採用したカード型のメモリーカードが装着される端子を備えており、書込装置１に設けられた挿入口１１へ挿入されたメモリーカードからデータを読み出すインターフェースとして機能する。
操作部１０６は、画像を表示する表示デバイス１０６Ａ（例えば、液晶ディスプレイや有機ＥＬ（electro luminescence）ディスプレイなど）と、透明で表示デバイス１０６Ａの表面に配置されたタッチパネル１０６Ｂを備えている。表示デバイス１０６Ａは、制御部１０１の制御の下、書込装置１を操作するための画面を表示する。また、タッチパネル１０６Ｂは、使用者が触れた位置を示す信号を制御部１０１へ出力する。
【００４３】
光出力部１０２は、赤、緑、青の三色で構成された画素を複数有する透過型の液晶パネルと、光源として機能するバックライトを備えた液晶ディスプレイ１０２Ａを備えている。バックライトから出力された光は、液晶パネルを透過し、液晶パネルの上方に固定される表示装置２の被照射側に照射される。なお、光出力部１０２は、制御部１０１により制御されて光を出力する画素が制御される。
【００４４】
なお、本実施形態において制御部１０１は、タッチパネル２００上の位置と、この位置に対応して光を出力する液晶ディスプレイ１０２Ａの画素の位置とを対応付けて予め記憶しており、タッチパネル２００からの位置信号を受け取ると、この位置信号が表す位置に対応する画素の位置を特定し、特定した画素から光が出力されるように液晶ディスプレイ１０２Ａを制御する。このため、表示装置２と書込装置１を電気的に接続する際には、表示装置２は書込装置１の予め定められた位置に固定される。
【００４５】
（実施形態の動作）
次に、本実施形態の動作について説明する。なお、以下の説明においては、筆記具３を用いて表示媒体２１に画像を表示させる際の動作について説明する。
まず、使用者により表示装置２が図１，図１２に示したように書込装置１上の予め定められた位置に固定され、電圧印加部１０３の端子と端子２０３Ａ〜２０３Ｄが電気的に接続されると共に、インターフェース部１０５と端子２００Ａが接続される。これにより、書込装置１から端子２０３Ａ〜２０３Ｄを介して導電層２０２Ａ〜２０２Ｄへ電圧を印加することが可能となり、また、タッチパネル２００から出力される信号を制御部１０１が受け取ることが可能となる。
【００４６】
書込装置１は、表示装置２と電気的に接続されると、図１４に示した画面を表示デバイス１０６Ａに表示させる。ここで書込装置１の使用者が、タッチパネル１０６Ｂを操作し、「初期化する」という表示がされた部分に触れると、制御部１０１は、電圧印加部１０３および光出力部１０２を制御し、各表示層のコレステリック液晶の配向状態をプレーナ相にする。
【００４７】
具体的には、まず、制御部１０１により液晶ディスプレイ１０２Ａが制御され、液晶ディスプレイ１０２Ａのバックライトが消灯される。次に電圧印加部１０３が、図４に示したパルス信号を端子２０３Ａと端子２０３Ｂへ印加する。ここで、パルス信号の周波数は１００［Ｈｚ］であり、印加される電圧がＶｇ２以上の電圧に設定され、表示層２０４Ｂ，２０４Ｇの配向状態は、ホメオトロピック相になる。配向状態がホメオトロピック相になった後、パルス信号の印加が停止され、表示層２０４Ｂ，２０４Ｇの配向状態はプレーナ相になり、表示層２０４Ｂは外光中の青の波長の光を反射する状態となり、表示層２０４Ｇは、外光中の緑の波長の光を反射する状態となる。
また、電圧印加部１０３が、パルス信号を端子２０３Ｃと端子２０３Ｄへ印加する。ここで、パルス信号で印加される電圧がＶｒ２以上の電圧に設定され、表示層２０４Ｒの配向状態は、ホメオトロピック相になる。配向状態がホメオトロピック相になった後、パルス信号の印加が停止され、表示層２０４Ｒの配向状態はプレーナ相になり、表示層２０４Ｒは、外光中の赤の波長の光を反射する状態となる。
【００４８】
書込装置１は、各表示層のコレステリック液晶の配向状態をプレーナ相にする処理を終了すると、電圧印加部１０３から端子２０３Ａ〜２０３Ｄへの電圧の印加を停止する。
この後、画像を表す画像データを記録したメモリーカードが挿入口１１に挿入され、メモリーカードがインターフェース部１０５に装着されると、制御部１０１は、メモリーカードが挿入されたことを検知し、メモリーカードに記憶されている画像データのファイル名を表示デバイス１０６Ａに表示する。
ここで、書込装置１の使用者が、表示されたファイル名を選択する操作をタッチパネル１０６Ｂにおいて行うと、選択された画像データが表す画像がメモリーカードから読み出され、画像データの示す画像が表示デバイス１０６Ａに表示される。
また、表示デバイス１０６Ａに表示された画像を表示装置２へ表示させる操作がタッチパネル１０６Ｂにおいて行われると、以下の動作が行われる。
【００４９】
書込装置１は、使用者に選択された画像データが表す画像に従って光出力部１０２と電圧印加部１０３を制御する。なお、画像データが表す画像は、赤、緑、青の三色の画像で構成されたカラーの画像である。
具体的には、周波数が１００［Ｈｚ］で印加される電圧がＶ１１のパルス信号が電圧印加部１０３から導電層２０２Ａ，２０２Ｂへ印加され、表示層２０４Ｂは、配向状態がホメオトロピック相となり、表示層２０４Ｇは、配向状態がフォーカルコニック相となる。
その際、画像データの示す画像のうち緑色の画像に応じて光出力部１０２が制御され、表示媒体２１において緑の光を反射させる部分に液晶ディスプレイ１０２Ａから青の光が照射されると、感光層２０５Ｒの抵抗が低下し、光が照射された部分については、印加される電圧が電圧Ｖ１２（Ｖｇ２＜Ｖ１２）に増加する。そして、パルス信号の印加を停止すると、表示層２０４Ｇの配向状態は、光が照射されていない部分はフォーカルコニック相となり、光が照射された部分はプレーナ相となる。
【００５０】
次に、周波数が１００［Ｈｚ］で印加される電圧がＶ２１のパルス信号が電圧印加部１０３から導電層２０２Ａ，２０２Ｂへ印加され、表示層２０４Ｇは、上記の配向状態を保ち、表示層２０４Ｂはプレーナ相のままとなる。
その際、画像データの示す画像のうち青色の画像に応じて光出力部１０２が制御され、表示媒体２１において、青の光を透過させたい部分について液晶ディスプレイ１０２Ａから青の光が照射されると、感光層２０５Ｒの抵抗が低下し、光が照射された部分については、印加される電圧が電圧Ｖ２２（Ｖｂ１＜Ｖ２２＜Ｖｇ１）に増加する。これにより、表示層２０４Ｂの配向状態は、光が照射されていない部分はプレーナ相となり、光が照射された部分はフォーカルコニック相となる。
【００５１】
また、印加される電圧がＶ３３（Ｖｒ１＜Ｖ３３＜Ｖｒ２）のパルス信号が電圧印加部１０３から導電層２０２Ｃ，２０２Ｄへ印加され、表示層２０４Ｒは、配向状態がフォーカルコニック相となる。
その際、画像データの示す画像のうち赤色の画像に応じて光出力部１０２が制御され、表示媒体２１において赤の光を反射させる部分について液晶ディスプレイ１０２Ａから赤の光が照射されると、光が照射された部分については、感光層２０５ＢＧの抵抗が低下し、印加される電圧が電圧Ｖｒ２以上の電圧に増加する。そして、パルス信号の印加を停止すると、表示層２０４Ｒの配向状態は、光が照射されていない部分はフォーカルコニック相となり、光が照射された部分はプレーナ相となる。
【００５２】
このように、画像データに応じて各表示層の特定の位置の配向状態を変化させ、外光を反射する領域と外光を透過する領域を表示媒体２１に生じさせることにより、表示装置２においては画像データが表す画像が視認される。
【００５３】
書込装置１は、画像データの表す画像に応じて各表示層の配向状態を変化させる処理が終了すると、電圧印加部１０３から端子２０３Ａ〜２０３Ｄへの電圧の印加を停止し、図１５に示したように、使用者が画像の書き込みを開始するための画面を表示デバイス１０６Ａに表示させる。
【００５４】
ここで書込装置１の使用者がタッチパネル１０６Ｂを操作し、「開始する」という表示がされた部分に触れると、制御部１０１は、電圧印加部１０３を制御し、周波数が５［Ｈｚ］のパルス信号を端子２０３Ａ〜２０３Ｄに印加する。なお、端子２０３Ａ，２０３Ｂから印加される電圧は、図７のＶ３１に設定され、端子２０３Ｃ，２０３Ｄから加される電圧は、Ｖｒ１より低いＶｒ３（図３（ａ）参照）に設定される。また、液晶ディスプレイ１０２Ａは全面が光を出力しない状態に制御される。
【００５５】
そして、使用者が筆記具３をタッチパネル２００に接触させながら図１６に示した経路Ｋ１で筆記具３を移動させると、筆記具３が触れた位置を示す位置信号がタッチパネル２００から出力され、この位置信号が制御部１０１に供給される。制御部１０１は、タッチパネル２００から出力された位置信号を受け取ると、この位置信号が表す位置を基に光出力部１０２を制御する。
【００５６】
例えば、タッチパネル２００において経路Ｋ１上の点Ｐ１の位置を示す位置信号が制御部１０１に供給されると、制御部１０１は、この位置信号を基にして、液晶ディスプレイ１０２Ａにおいて点Ｐ１の下方にある画素Ｇ１を特定し、この画素Ｇ１からのみ青と赤の光が出力されるように液晶ディスプレイ１０２Ａを制御する。
【００５７】
液晶ディスプレイ１０２Ａの画素から出力された光は、被照射側から表示媒体２１に入射する。そして、画素から出力された光のうち、赤の光は感光層２０５ＢＧにおいて光電効果を生じさせる。すると、表示層２０４Ｒにおいて感光層２０５ＢＧで光電効果が生じた領域の上方に位置する部分では、印加される電圧が増加してＶｒ１とＶｒ２の間の電圧になり、コレステリック液晶の配向状態がフォーカルコニック相に移行して赤の光を透過する状態となる。
また、画素から出力された光のうち、青の光は感光層２０５Ｒにおいて光電効果を生じさせる。すると、表示層２０４Ｂ，２０４Ｇにおいて感光層２０５Ｒで光電効果が生じた領域の上方に位置する部分では、印加される電圧が増加して電圧値がＶ３２となる。
ここで、表示層２０４Ｂと表示層２０４Ｇについては、導電層２０２Ａ，２０２Ｂから印加される電圧と反射率との関係が図７に示した関係となっており、表示層２０４Ｂと表示層２０４Ｇの第１閾値の値が近いため、表示層２０４Ｂ，２０４Ｇは共にコレステリック液晶の配向状態がフォーカルコニック相に移行し、表示層２０４Ｂは青の光を透過する状態となり、表示層２０４Ｇは緑の光を透過する状態となる。
【００５８】
そして、表示媒体２１において点Ｐ１の下方に位置する部分では、表示面側から入射した青と緑の光は、表示層２０４Ｂ，２０４Ｇを透過した後、着色層２０６Ｒで吸収される。また、表示面側から入射した赤の光は、表示層２０４Ｂ，２０４Ｇを透過した後、表示層２０４Ｒを透過し、着色層２０６Ｒで吸収される。つまり、表示面側から点Ｐ１の部分に到達する外光は、表示媒体２１で反射されないため、点Ｐ１の下方の部分（筆記具３が接した部分の下方の部分）は黒として使用者に視認される。
【００５９】
次に、筆記具３が点Ｐ２の位置に移動し、タッチパネル２００において経路上の点Ｐ２の位置を示す位置信号が制御部１０１に供給されると、制御部１０１は、この位置信号を基にして、液晶ディスプレイ１０２Ａにおいて点Ｐ２の下方にある画素Ｇ２を特定し、この画素Ｇ２からのみ光が出力されるように液晶ディスプレイ１０２Ａを制御する。すると、点Ｐ１の時と同様に点Ｐ２の下方にある液晶の配向状態が変化し、点Ｐ１の下方の部分は黒として使用者に視認される。
【００６０】
そして、使用者が経路Ｋ１で筆記具３を移動させた後、筆記具３をタッチパネル２００から離し、タッチパネル１０６Ｂにおいて画像の書き込みの終了を指示する操作を行うと、液晶ディスプレイ１０２Ａのバックライトが消灯される。この時点では、表示媒体２１において経路Ｋ１の部分は、光が照射されてコレステリック液晶の配向状態がフォーカルコニック相となっており、黒の線の画像として視認される。
【００６１】
このように、本実施形態においては、複数の表示層の配向状態について、個別に配向状態を変更される場合と、一度に変更させる場合とがあり、複数の表示層の配向状態を一度に変更させ画像が追記される。
また、上述した表示層のような誘電体に交流の電圧を印加する場合、周波数を低くするほど消費電力は小さくなる。本実施形態においては、画像データの画像を表示させる動作の時より、筆記具３を用いて画像を追記する時のほうが、電圧が印加される時間が長いが、筆記具３を用いて画像を追記する時には、画像データの画像を表示させる動作の時よりパルス信号の周波数が低くなるので消費電力を少なくできる。
【００６２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００６３】
上述した実施形態においては、表示媒体２１は着色層２０６Ｒと着色層２０６ＢＧを有しているが、表示媒体２１は、着色層２０６Ｒと着色層２０６ＢＧを有していなくてもよい。
【００６４】
書込装置１において表示媒体２１の書き込み面側に光を照射するのは、液晶ディスプレイ１０２Ａに限定されるものではない。発光ダイオードを面状に並べ、位置信号に応じて発光ダイオードを点灯させて書き込み面側に光を照射してもよい。また、液晶ディスプレイ１０２Ａに替えて、有機ＥＬディスプレイなどの電圧をかけると発光する物質を利用したディスプレイ装置であってもよい。また、液晶ディスプレイであっても、光源のバックライトとして赤、緑、青の三色の光を切り替えられるバックライトを有し、画素が光を透過するか否かのモノクロのタイプの液晶ディスプレイであってもよい。
【００６５】
上述した実施形態では、表示層の数は３つとなっているが、表示媒体２１は、表示層２０４Ｒを備えない構成であってもよい。
また、表示層が反射する光は、上述した実施形態に記載した光に限定されず、他の波長の光（他の色の光）であってもよい。
【００６６】
上述した実施形態では、筆記具３の位置を検知するためのタッチパネルは、表示媒体２１の表面に配置されているが、筆記具３の位置を検知するためのタッチパネルは、表示装置２ではなく、書込装置１に配置されていてもよい。
タッチパネルを書込装置１に配置する場合、書込装置１の表面に液晶ディスプレイ１０２Ａと距離をおいてタッチパネルを配置し、タッチパネルと液晶ディスプレイ１０２Ａとの間に表示装置２を挿入する構成とすれば、表示装置２の書き込み面側へ液晶ディスプレイ１０２Ａの光を照射し、表示面側で筆記具３を動かして表示装置２に表示させることができる。
【００６７】
なお、上述した実施形態では、タッチパネルを用いて筆記具３の位置を検知しているが、筆記具３の位置を検知する構成はタッチパネルに限定されるものではなく、電磁誘導方式で筆記具３の位置を検知してもよい。
また、所謂タブレットを書込装置１に設け、表示装置２の表面ではなく、このタブレット上で筆記具３を移動させ、この位置に応じて液晶ディスプレイ１０２Ａを制御してもよい。
【００６８】
上述した実施形態では、筆記具３はペンの形状をしているが、タッチパネル２００に接触して画素の発光位置を指定できるものであればペンの形状に限定されるものではなく、他の形状であってもよい。また、筆記具３を用いずに指でタッチパネル２００に触れて画像の書き込みを行うようにしてもよい。
つまり本明細書においては、操作子は筆記具３に限定されるものではなく、表示を変化させる部分を指定するものを含む広い概念である。
【００６９】
上述した実施形態では、図１５に示した画面が表示され、「開始する」という表示がされた部分に触れると、筆記具３を用いて画像の書き込みが可能となっているが、表示層２０４Ｒと表示層２０４ＢＧとをプレーナ相にする処理が終了すると、例えば「画像の書き込みが可能になりました」という表示をし、位置信号を受け取って液晶ディスプレイ１０２Ａを制御する処理を開始するようにしてもよい。
また、筆記具３を用いて画像の追記が行われている際には、筆記具３がタッチパネル２００から離れてタッチパネル２００からの信号が制御部１０１に供給されなくなると、液晶ディスプレイ１０２Ａのバックライトを消灯し、筆記具３がタッチパネル２００に接触してタッチパネル２００からの信号が制御部１０１に供給されると液晶ディスプレイ１０２Ａのバックライトを点灯させるようにしてもよい。
【００７０】
上述した実施形態においては、画像データの画像が表示された後で筆記具３で画像を追記しているが、表示媒体２１が初期化されて各表示層がプレーナ相となった後で画像データの画像を表示させず、筆記具３で画像を追記するようにしてもよい。
また、上述した実施形態においては、表示媒体２１を初期化する際には各表示層をプレーナ相としているが、各表示層がフォーカルコニック相となるようにしてもよい。そして、筆記具３で画像を追記する際には、筆記具３が触れた位置に対応する部分がプレーナ相となるように電圧印加部１０３と液晶ディスプレイ１０２Ａを制御してもよい。この場合、黒の背景に色のついた文字や図形が筆記具３で追記される。
【００７１】
上述した実施形態では、表示媒体２１は、表示層が３層、感光層が２層、導電層が４層となっているが、図１７に示したように、表示層が２層、感光層が１層、導電層が２層の構成であってもよい。なお、図１７においては、図２と同じ構成については同じ符号を付している。
【符号の説明】
【００７２】
１・・・書込装置、２・・・表示装置、３・・・筆記具、１０１・・・制御部、１０２・・・光出力部、１０３・・・電圧印加部、１０５・・・インターフェース部、１０６・・・操作部、２００・・・タッチパネル、２００Ａ・・・端子、２０１Ａ〜２０１Ｃ・・・基板層、２０２Ａ〜２０２Ｄ・・・導電層、２０３Ａ〜２０３Ｄ・・・端子、２０４Ｂ，２０４Ｇ，２０４Ｒ・・・表示層、２０５ＢＧ，２０５Ｒ・・・感光層、２０６ＢＧ，２０６Ｒ・・・着色層、２０７・・・ラミネート層
【図１】
2010230934.tif 000010
【図２】
2010230934.tif 000011
【図３】
2010230934.tif 000012
【図４】
2010230934.tif 000013
【図５】
2010230934.tif 000014
【図６】
2010230934.tif 000015
【図７】
2010230934.tif 000016
【図８】
2010230934.tif 000017
【図１２】
2010230934.tif 000018
【図１３】
2010230934.tif 000019
【図１４】
2010230934.tif 000020
【図１５】
2010230934.tif 000021
【図１６】
2010230934.tif 000022
【図１７】
2010230934.tif 000023
【図９】
2010230934.tif 000024
【図１０】
2010230934.tif 000025
【図１１】
2010230934.tif 000026
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
パルス電圧が印加された部分が該パルス電圧に応じて外光中の第１波長帯の光を反射する反射状態または外光中の前記第１波長帯の光を透過する透過状態に変化する第１表示層と、
前記第１表示層に積層され、パルス電圧が印加された部分が該パルス電圧に応じて外光中の前記第１波長帯とは異なる第２波長帯の光を反射する反射状態または外光中の前記第２波長帯の光を透過する透過状態に変化する第２表示層と、
積層された前記第１表示層と前記第２表示層を挟んで位置し、パルス電圧が外部から供給される第１導電層および第２導電層と、
前記第１導電層と前記第２導電層の間に位置し、光が照射されると前記第１表示層と前記第２表示層に印加されるパルス電圧の電圧値を増加させる感光層と、
を有し、
前記状態を変化させるパルス電圧の電圧値は、前記第１表示層と前記第２表示層とで異なり、
前記第１導電層と前記第２導電層に印加されたパルス電圧の前記第１表示層と前記第２表示層への分圧比が、前記パルス電圧の周波数によって変化し、
前記状態を変化させるパルス電圧の電圧値が、前記印加されたパルス電圧の周波数に応じて変化する表示媒体に対して、
前記第１表示層と前記第２表示層の状態を同時に変化させる場合と、前記第１表示層と前記第２表示層の状態を別々に変化させる場合とで、異なる周波数のパルス電圧を前記第１導電層と前記第２導電層に印加する電圧印加手段と、
前記表示媒体へ光を照射する光出力手段と
を有する書込装置。
【手続補正３】
【補正対象書類名】明細書
【補正対象項目名】０００１
【補正方法】変更
【補正の内容】
【０００１】
本発明は、書込装置に関する。
【手続補正４】
【補正対象書類名】明細書
【補正対象項目名】０００５
【補正方法】変更
【補正の内容】
【０００５】
本発明の請求項１に係る書込装置は、パルス電圧が印加された部分が該パルス電圧に応じて外光中の第１波長帯の光を反射する反射状態または外光中の前記第１波長帯の光を透過する透過状態に変化する第１表示層と、前記第１表示層に積層され、パルス電圧が印加された部分が該パルス電圧に応じて外光中の前記第１波長帯とは異なる第２波長帯の光を反射する反射状態または外光中の前記第２波長帯の光を透過する透過状態に変化する第２表示層と、積層された前記第１表示層と前記第２表示層を挟んで位置し、パルス電圧が外部から供給される第１導電層および第２導電層と、前記第１導電層と前記第２導電層の間に位置し、光が照射されると前記第１表示層と前記第２表示層に印加されるパルス電圧の電圧値を増加させる感光層と、を有し、前記状態を変化させるパルス電圧の電圧値は、前記第１表示層と前記第２表示層とで異なり、前記第１導電層と前記第２導電層に印加されたパルス電圧の前記第１表示層と前記第２表示層への分圧比が、前記パルス電圧の周波数によって変化し、前記状態を変化させるパルス電圧の電圧値が、前記印加されたパルス電圧の周波数に応じて変化する表示媒体に対して、前記第１表示層と前記第２表示層の状態を同時に変化させる場合と、前記第１表示層と前記第２表示層の状態を別々に変化させる場合とで、異なる周波数のパルス電圧を前記第１導電層と前記第２導電層に印加する電圧印加手段と、前記表示媒体へ光を照射する光出力手段とを有する。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明の請求項１に記載の発明によれば、光の照射と電圧の印加に応じて光を透過および反射して画像の表示を行う表示層を複数備えた表示媒体に対して、複数の表示層へ同時に画像の追記を行える。